(57)【要約】【課題】マスク材を容易に所望の状態に付与することが可能な、塗液の塗布方法及びプラズマディスプレイ部材の製造方法を提供する。【解決手段】基板への塗布の開始、終了端近傍にマスク材を事前に付与し、塗液の塗布後、マスク材を剥離する塗液の塗布方法において、マスク材が液状で乾燥後固化する塗材であり、予め基板に塗布したマスク材の上から塗液を吐出し、終了端側のマスク材上で吐出を停止し、塗布終了後該マスク材を剥離することを特徴とする塗液の塗布方法、及びプラズマディスプレイ部材の製造方法。【選択図】図３
2006231287.tif 000002
【特許請求の範囲】
【請求項１】
被塗布基板を固定するテーブル、前記基板と一定間隔離れた対向する位置において塗液を吐出する塗布ヘッド、該塗布ヘッドと前記テーブルを相対的に水平方向に移動し、該塗布ヘッドより塗液を吐出し前記基板に塗布する塗布方法であって、塗布の開始、終了端近傍にマスク材を事前に付与し、塗液の塗布後、マスク材を剥離する塗液の塗布方法において、該マスク材が液状で乾燥後固化する塗材であり、予め基板に塗布したマスク材の上から塗液を吐出し、終了端側のマスク材上で吐出を停止し、塗布終了後該マスク材を剥離することを特徴とする塗液の塗布方法。
【請求項２】
前記液状のマスク材を基板の所定位置に塗布、乾燥、固化した後、塗液を塗布する、請求項１に記載の塗液の塗布方法。
【請求項３】
前記液状のマスク材を基板の所定位置に塗布後、液状のマスク材上に塗液を塗布し、塗液の乾燥工程にてマスク材も乾燥、固化させる、請求項１に記載の塗液の塗布方法。
【請求項４】
前記液状のマスク材が水溶性高分子である、請求項１〜３のいずれかに記載の塗液の塗布方法。
【請求項５】
前記液状のマスク材が有機溶剤可溶性樹脂である、請求項１〜３のいずれかに記載の塗液の塗布方法。
【請求項６】
前記塗液が有機溶剤にて溶解した有機溶剤可溶性樹脂に無機粒子を混合したものであり、前記液状のマスク材が無機粒子を除いた前記塗液と同成分の有機溶剤可溶性樹脂である、請求項５に記載の塗液の塗布方法。
【請求項７】
前記基板が複数の塗布方向に平行なストライプ状また井桁状の凹凸を有し、前記塗布ヘッドが複数の吐出孔を有し、塗液が赤色（Ｒ）、緑色（Ｇ）及び青色（Ｂ）のいずれか一色の蛍光体を含むペーストである、請求項１〜６のいずれかに記載の塗液の塗布方法を用いることを特徴とするプラズマディスプレイ部材の製造方法。
【請求項８】
被塗布基板の所定位置に液状のマスク材を塗布する工程、該マスク材を塗布した基板のマスク材上と塗液の被塗布領域に赤色（Ｒ）、緑色（Ｇ）及び青色（Ｂ）のいずれか一色の蛍光体を含むペーストを塗布する工程、塗布された蛍光体ペースト及びマスク材を乾燥する工程、乾燥・固化したマスク材を剥離、除去する工程からなるプラズマディスプレイ部材の製造方法。
【請求項９】
被塗布基板の所定位置に液状のマスク材を塗布する工程、該マスク材を乾燥・固化させる工程、該固化したマスク材の付着した基板のマスク材上と塗液の被塗布領域に赤色（Ｒ）、緑色（Ｇ）及び青色（Ｂ）のいずれか一色の蛍光体を含むペーストを塗布する工程、塗布された蛍光体ペーストを乾燥する工程、乾燥・固化したマスク材を剥離、除去する工程からなるプラズマディスプレイ部材の製造方法。
【発明の詳細な説明】
【技術分野】
【０００１】
本発明は、塗液の塗布方法及びプラズマディスプレイ部材（とくに、プラズマディスプレイ用発光基板）の製造方法に関し、特に、ノズルから吐出される蛍光体ペーストを被塗布基材上のストライプ状または井桁状に形成された複数の凹部に充填し、蛍光体層を形成するプラズマディスプレイ用発光基板の製造方法の改良に関するものである。
【背景技術】
【０００２】
蛍光体ペーストを被塗布基材上のストライプ状または井桁状に形成された複数の凹部に充填し、蛍光体層を形成するプラズマディスプレイ用発光基板の製造方法については、ペースト塗布に関して各種の改良技術が提案されている。
【０００３】
例えば、特許文献１には、塗布開始・終了時の吐出不安定領域において、塗布速度を変更することにより、単位長さ当たりの塗布量を概略揃え、蛍光体層の塗布厚さを均一にする方法が提案されている。しかしこの方法では、速度の切替のタイミングが微妙であり、併せて、塗布ヘッドを基板から離す、塗布移動を停止する等複雑な制御と、微妙な条件合わせが必要となる。
【０００４】
また、特許文献２には、被塗布基板にマスクシート（金属シート、樹脂シート、またはテープ）を貼り付け、その上から蛍光体液を塗布し、塗布終了後剥離する方法が提案されている。しかしこの方法では、マスクシートを貼り付けるために複雑な動きをする装置が必要になる。例えば、ロール状に巻いた接着テープを塗布端に沿わせて移動し、貼り付けていくこと等が必要になる。また、最終端をカットし、剥離のために折り返すこと等も必要になる。
【特許文献１】特開2001-269612号公報
【特許文献２】特開2002-42651号公報
【発明の開示】
【発明が解決しようとする課題】
【０００５】
上記特許文献２に示されているようなマスクシートを貼り付け、塗液塗布終了後剥離する方法には、以下のような問題がある。被塗布基板にノズルからの塗液の吐出が不安定である領域に予めマスクシート（金属シート、樹脂シートまたはテープ）を貼り、塗液を塗布する塗布法において、マスクシートを所定の位置に貼ることは極めて困難であり、装置は複雑で高価なものになる。具体的には、接着剤を塗布したテープのロールを巻き出し、所定の位置に押しつけながら蛇行なく貼り付けていき、貼り付け終了位置でテープをカットし、剥離のために最終端を折り返す一連の動作が可能な装置が必要である。
【０００６】
また、プラズマディスプレイパネルの背面板においては蛍光体層を形成するリブを有しており、このリブの高さは約１００から１５０μｍ程度である。このため、マスクシートの厚さは塗布ヘッドとの干渉を避けるためには約１００μｍ以下にする必要があり、テープ貼り付け時にしわ、うねりが生じ、このリブより高くなると塗布ヘッドと干渉する恐れがでてくる。マスクシートが金属シートの場合も、歪み、変形があると同様に塗布ヘッドと干渉する恐れがでてくる。
【０００７】
そこで本発明の目的は、従来技術における上記のような問題点に着目し、容易にマスク材の位置決めを行うことができ、複雑な動作や装置構成が不要であり、基板の凹凸に対しても、干渉することなくマスク材を容易に所望の状態に付与することが可能な、塗液の塗布方法及びプラズマディスプレイ部材の製造方法を提供することにある。
【課題を解決するための手段】
【０００８】
上記課題を解決するために、本発明に係る塗液の塗布方法は、被塗布基板を固定（例えば、吸着固定）するテーブル、前記基板と一定間隔離れた対向する位置において塗液を吐出する塗布ヘッド、該塗布ヘッドと前記テーブルを相対的に水平方向に移動し、該塗布ヘッドより塗液を吐出し前記基板に塗布する塗布方法であって、塗布の開始、終了端近傍にマスク材を事前に付与し、塗液の塗布後、マスク材を剥離する塗液の塗布方法において、該マスク材が液状で乾燥後固化する塗材であり、予め基板に塗布したマスク材の上から塗液を吐出し、終了端側のマスク材上で吐出を停止し、塗布終了後該マスク材を剥離することを特徴とする方法からなる。この方法においては、液状のマスク材を使用することにより、簡単な塗布装置で、所定の位置に正確にマスクカバーを形成できる。
【０００９】
前述の特許文献１に記載の方法と比べると、本発明に係る塗液の塗布方法では、塗布開始終了端に液状のマスク材を付与し、塗布開始終了時の吐出不安定領域の塗液をマスク材上に吐出し、正常な吐出量になったところで塗布すべき領域に塗布する。その後、マスク材を剥離することにより、塗液層（例えば、蛍光体層）の厚みを均一にし、塗布端を揃えることができる。したがってこの方法では、微妙な速度制御や速度切替タイミングなどの条件が不要であり、簡単な方法で品位の良い、塗布基板が得られる。
【００１０】
また、前述の特許文献２に記載の方法と比べると、本発明に係る塗液の塗布方法では、金属シート、樹脂シートまたはテープを用いず、液状のマスク材を塗布し、乾燥、固化したものの上また乾燥前の液状マスク材の上から塗液を吐出し、塗布終了端でも同様にマスク材の上で吐出を停止する。塗布終了後または塗液を乾燥後、固化し、シート状になったマスク材を塗液又は乾燥した塗層毎吸引装置等を用いて剥離・除去する。したがってこの方法では、テープを貼り、最終端を折り返す等の複雑な動作をする装置が不要であり、塗布端に沿ってマスク材用塗布ノズルを移動し、液状のマスク材をマスク材塗布ノズルから吐出・停止するだけでよく、簡単な装置でマスク材を所望の位置に付与することができる。
【００１１】
本発明に係る塗液の塗布方法においては、前記液状のマスク材を基板の所定位置に塗布、乾燥、固化した後、塗液を塗布することができ、これによりシート状のマスク材の上に塗液を塗布することになり、塗布終了後の剥離が簡単にできる。
【００１２】
また、前記液状のマスク材を基板の所定位置に塗布後、液状のマスク材上に塗液を塗布し、塗液の乾燥工程にてマスク材も乾燥、固化させるようにすることもでき、これによりマスク材の乾燥工程を省略することができる。
【００１３】
また、前記液状のマスク材を水溶性高分子にすることにより容易に塗布ができ、乾燥することにより膜（シート）状のマスク材を簡単に基板に形成できる。
【００１４】
また、前記液状のマスク材を有機溶剤可溶性樹脂とし同様に塗布、乾燥することで、膜（シート）状のマスク材を簡単に基板に形成できる。
【００１５】
また、前記塗液を有機溶剤にて溶解した有機溶剤可溶性樹脂に無機粒子を混合したものとし、前記液状のマスク材を無機粒子を除いた前記塗液と同成分の有機溶剤可溶性樹脂とすることで、塗液と同一の乾燥条件で同時に乾燥することができ、マスク材の乾燥工程を省略することが可能となる。
【００１６】
本発明に係るプラズマディスプレイ部材の製造方法は、前記基板が複数の塗布方向に平行なストライプ状また井桁状の凹凸を有し、前記塗布ヘッドが複数の吐出孔を有し、塗液が赤色（Ｒ）、緑色（Ｇ）及び青色（Ｂ）のいずれか一色の蛍光体を含むペーストである、上記のような本発明に係る塗液の塗布方法を用いることを特徴とする方法からなる。この方法により、品位の良いプラズマディスプレイ部材を得ることができる。
【００１７】
また、本発明に係るプラズマディスプレイ部材の製造方法は、被塗布基板の所定位置に液状のマスク材を塗布する工程、該マスク材を塗布した基板のマスク材上と塗液の被塗布領域に赤色（Ｒ）、緑色（Ｇ）及び青色（Ｂ）のいずれか一色の蛍光体を含むペーストを塗布する工程、塗布された蛍光体ペースト及びマスク材を乾燥する工程、乾燥・固化したマスク材を剥離、除去する工程からなる。このような各工程に分けることにより、タクトタイムを延ばさずプラズマディスプレイ部材を製造することができる。
【００１８】
さらに、本発明に係るプラズマディスプレイ部材の製造方法は、被塗布基板の所定位置に液状のマスク材を塗布する工程、該マスク材を乾燥・固化させる工程、該固化したマスク材の付着した基板のマスク材上と塗液の被塗布領域に赤色（Ｒ）、緑色（Ｇ）及び青色（Ｂ）のいずれか一色の蛍光体を含むペーストを塗布する工程、塗布された蛍光体ペーストを乾燥する工程、乾燥・固化したマスク材を剥離、除去する工程からなる。このような各工程とすることで、基板上にマスクシートを確実に形成した後、塗液を塗布することができるので、蛍光体ペーストが余分なところに付着することを確実に防止できる。
【発明の効果】
【００１９】
本発明に係る塗液の塗布方法及びプラズマディスプレイ部材の製造方法によれば、例えば被塗布基板の所定位置に蛍光体ペーストを塗布したプラズマディスプレイ背面板を製造するに当たり、蛍光体ペーストを塗布ヘッドから吐出して塗布する方法において塗布開始、終了端の吐出不安定領域での蛍光体ペーストを除去するためのマスクを液状のマスク材で形成することにより、簡単な装置で所望のマスクを確実に形成でき、マスク材を乾燥し、シート状にすることで簡単に剥離することができる。したがって、安価な装置構成で、不具合を生じることなく容易に目標とする形態に蛍光体ペーストを塗布することが可能になる。
【００２０】
また、マスク材に蛍光体ペーストと同じバインダーポリマーを用いることができ、乾燥工程を蛍光体ペーストと兼ねることができ、工程を省略することも可能となる。
【発明を実施するための最良の形態】
【００２１】
以下に、本発明の望ましい実施の形態について、図面を参照しながら説明する。
図１は、本発明の一実施態様に係る塗液の塗布方法を実施するための塗液の塗布装置の概略斜視図を示している。対象となる基板はプラズマディスプレイ用背面板であり、塗液は赤色（Ｒ）、緑色（Ｇ）及び青色（Ｂ）のいずれか一色の蛍光体を含むペーストである。まず、テーブルと塗布ヘッドを相対的に移動させて該被塗布基板上にペーストを塗布するための移動手段について説明する。即ち、図１において、基板１はテーブル２の上に載置され、テーブル２に設けた吸着装置（図示略）により吸着されて固定される。テーブル２はその中心を軸として、回転を可能とするθ軸（図示略）により支持されている。このθ軸はＹ軸テーブル３に搭載され、Ｙ軸テーブル３は、Ｘ軸テーブル４上に設けられたリニアガイド３ａ，３ｂに沿って機台５のＹ軸方向に移動する。Ｘ軸テーブル４は、機台５上に設けられたリニアガイド４ａ，４ｂに沿って機台５のＸ軸方向に移動する。このＸ、Ｙ軸は直交するように調整されている。Ｘ軸テーブル４は、基板１にペーストを塗布するための相対移動手段であって、塗布動作においてテーブル２をＸ軸方向に移動させる。前記Ｘ、Ｙ軸やθ軸はテーブルを移動させる移動軸（移動手段）であるが、これに限定されるものではなく、塗布ヘッド８側に移動手段を有していてもよいし、両方に移動手段を有していてもよい。
【００２２】
機台５の中央部上方には、Ｘ軸テーブル４によって移動されるテーブル２が通過するように門型の支持台６が、Ｘ軸と直交する形で設けられている。支持台６の奥側（下流側と言う。なお、下流又は、上流とは工程流れに従った呼び名であり、上流側から下流側へ被処理部材が搬送されていくものである。）側面の両サイドには、テーブル２の面に対して垂直方向に移動するＺ軸ガイド７ａ，７ｂが設けられ、該Ｚ軸ガイド７ａ，７ｂにはペーストを吐出する塗布ヘッド８がテーブル２のＹ軸方向中央を基準にして取り付けられる。塗布ヘッド８は着脱式で、Ｚ軸ガイド７ａ，７ｂに取り付けたときに、テーブル２のＸ軸移動方向に直交して、該Ｚ軸ガイド７ａ，７ｂに設けたチャック（図示略）により固定される。この塗布ヘッド８は、塗布する基板のサイズや仕様（孔径、孔数、孔ピッチなど）に合わせて選択され、その基板に形成された所望の全ての溝に対して１回の塗布動作で塗布を完了するための吐出孔が略一直線状に配列して設けられている。従って、塗布ヘッド８にはその塗布する溝に対応したピッチで吐出孔が設けられている。
【００２３】
塗布ヘッド８は内部にペースト溜まり部を有し、塗布ヘッド８に塗液を供給する供給手段として、ペーストを供給するための配管が接続され、この配管の反対側先端部にはペーストの供給をコントロールする開閉バルブ９を介して、ペーストタンク１１が接続されている。ペーストタンク１１には、所定圧力の気体圧力源１２が配管を介して接続されている。また、塗布ヘッド８には、吐出孔からペーストを吐出させるための気体圧力を供給する配管が接続され、この配管の反対側先端部は気体圧力の切換バルブ１０を介して、一方は所定圧力の気体圧力源１２に接続され、他方は大気に開放されている。
【００２４】
塗布ヘッド８へのペースト供給は、切換バルブ１０を大気開放にした状態で開閉バルブ９を開くことにより行われる。このときペーストは、例えば塗布ヘッド８内の液面高さを検出するセンサを設けておき、ペーストの溜まり部上部に空間を残す形で所定量が蓄えられる。ペーストの吐出は切換バルブ１０を気体圧力源１２に切り換えて、この空間に気体圧力を供給することにより行われる。
【００２５】
支持台６の手前側（上流側と言う。）側面には、Ｙ軸方向に各々独立して移動可能なＹ１軸ガイド１３、Ｙ２軸ガイド１４、Ｙ３軸ガイド１５が設けられ、Ｙ１〜Ｙ３軸ガイドの取り付け板にはＸ、Ｚ軸方向の微調整機構を介して基板の位置を計測する位置センサが取り付けられる。この位置センサにはＣＣＤカメラを用いることが好ましく、本装置ではＹ１〜Ｙ３軸ガイドの取り付け板にＣＣＤカメラ１６，１７，１８が取り付けられている。このＹ１〜Ｙ３軸ガイドは支持台６の上流側側面に設けられたリニアガイド６ａ，６ｂによって、Ｙ軸方向に移動した場合においてもテーブル２面からの高さが一定になるよう調整されている。以上これまでに述べた全ての軸は、図示されないサーボモータにより駆動され、サーボモータは制御部からの制御信号によりコントロールされる。また、制御部はマイクロコンピュータやＲＡＭ、ハードディスクなどにて構成され、基板や塗布ヘッドの位置計測、塗布ヘッドへのペースト供給および吐出口からの吐出制御を行うとともに、塗布条件を入力表示するタッチパネル部を有している。また、各カメラはモニタテレビに接続され視野の画像を表示できるように構成される。なお、図１における１９は塗布ヘッド８の基準位置を計測するカメラを示している。
【００２６】
本実施態様における基板１には、図２に示すように、該基板１上に、並列して形成されたリブを有するリブパターン領域２１が存在し、このリブで形成される溝にペーストを充填・塗布する。
【００２７】
特に限定されるものではないが、前記溝は、深さ１００〜１５０μｍ、幅７０〜５５０μｍ、長さ４５０〜９００ｍｍ程度であり、溝を隔てるリブは、幅２０〜１５０μｍ程度である。又、溝の形状は、おおよそ、底部は基板平面に略水平な平面であるが、塗布開始前の溝底面には、すでに電極および誘電体層が形成されている。さらに、溝に垂直の方向に、リブの高さ以内であり、かつ、溝を隔てるリブより狭い幅の横方向の第２のリブを、井桁状に設ける場合もあり、また、必ずしも溝を隔てるリブが直線であるとは限らない。溝側壁部は、基板平面に略垂直な（底面と側壁の成す角はおおよそ９０〜１１５°程度）平面である。
【００２８】
図２は基板１の平面図であり、基板１には、リブパターン領域２１、アライメントマークＡ１〜Ａ４が設けられている。このアライメントマークＡ１〜Ａ４はリブパターンを形成するときに一緒に作成されるためリブパターンとの位置関係が精度良く形成される。アライメントマークＡ１とＡ２を結ぶ直線は、塗布方向リブパターンと略直交すると見なしてよく、塗布を正確にリブ方向に行うにはこのアライメントマークを検出して基板１の傾き量を演算し、θ軸を制御して塗布方向とリブ方向を一致させる。
【００２９】
マスク材２０ａ、２０ｂは、ペーストを塗布すべきリブパターン領域２１の塗布開始、終了端近傍に予め塗布・形成されている。マスク材の形成についての詳細は後述する。
【００３０】
以下に塗布の手順を述べる。
基板１を移載機（図示略）によりテーブル２に内蔵したリフトピン（図示略）上に移載し、移載機の腕を戻した後リフトピンを下降させテーブル２上に載せる。その後基板１の外形基準で位置決め装置（図示略）により概略の位置を決め、テーブル２に吸着する。次にテーブル２をアライメントマークＡ１，Ａ２がカメラ１６，１８の視野に入るように移動し、検知したアライメントマークの傾き角からリブの傾きを塗布方向に一致させるべくθ軸を制御する。次にカメラ１７と塗布ヘッド８のほぼ中心付近の代表孔のセンター位置を予め一致させておき、検出したアライメントマークＡ１，Ａ２の座標から塗布ヘッド８の代表孔を一致させるべきリブ間溝中心位置を演算後、カメラ１７の視野にリブ間溝中心が来るようＹ軸テーブル３を移動し、次にリブ間溝中心を画像処理により正確に塗布ヘッド８の代表孔センターと一致させる。次にテーブル２をＸ軸方向に移動し、塗布ヘッド８が基板１上のマスク材２０ａ上の塗布開始位置にきたところで切換バルブ１０を開き、塗布ヘッド８内に気体圧力をかけ、ペーストを吐出する、このままテーブル２をＸ軸方向に移動し、塗布ヘッド８が塗布終了位置のマスク材２０ｂ上にきたところで、切換バルブ１０を大気開放し、吐出を停止する。このときペーストの吐出が十分切れるまでテーブル２の移動を一旦停止するのが望ましいが、そのまま移動を続けて、基板排出位置まで移動してもよい。テーブル２が基板排出位置にきたところで基板の吸着を解除し、リフトピンにて基板１を上昇させ、排出側移載機（図示略）にて基板１を次工程に移載する。基板１を排出後リフトピンを下降し、テーブル２を基板受取位置に移動して一連の動作を終了する。上記塗布工程を繰り返し行うことで複数枚の基板塗布を行うことができる。次工程においてはペーストがウエットの状態のままマスク材を剥離してもよいし、ペースト乾燥工程の後に乾燥状態のペーストとマスク材を剥離してもよい。
【００３１】
マスク材剥離工程の一実施例を図３，図４に示す。基板搬送装置３１には、基板搬送用のコロ３２及び基板の搬送直角方向（Ｘ方向）の位置決めをするサイドコロ３３が設置されており、塗布を終了した基板１が搬送される。剥離装置機台３０は基板搬送装置３１を跨ぐように設置され、マスク材を剥離・吸引するためのスクレーパー３６（３６ａ、３６ｂ）、吸引ノズル３５（３５ａ，３５ｂ）がＸ軸方向に移動可能な取り付け台３４ａ、３４ｂに取り付けてある。取り付け台３４ａ，３４ｂはリニアガイド３８ａ，３８ｂに沿ってリニアモーター（図示略）により移動し、マスク材の位置に合わせ込むことが可能となっている。駆動方式についてはボールネジとハンドルを用いて手動で合わせてもよい。スクレーパー３６ａ、３６ｂはＺ軸方向ガイドとエアーシリンダー（いずれも図示略）によりＺ軸方向に移動可能であり、弾性機構により基板１とマスク材２０ａ，２０ｂの界面に無理なく差し込み、マスク材を剥離できる。マスク材の剥離はスクレーパーだけでなく、粘着性のあるゴムをマスク材に押しつけ、引き剥がす方法でもよい。剥離したマスク材は、吸引ノズル３５ａ，３５ｂを介して、真空吸引装置３７ａ、３７ｂに吸引、貯留される。
【００３２】
次に、マスク材を予め形成する工程の一実施例を図５、図６に示す。
上記基板剥離工程と同様に基板搬送装置３１を跨ぐようにマスク形成装置機台４０が設置され、液状のマスク材を塗布するためのノズル４４（４４ａ、４４ｂ）がＸ軸方向に移動可能な取り付け台４３ａ、４３ｂにＺ軸方向ガイド及びエアーシリンダー（いずれも図示なし）を介して取り付けられている。基板１の搬送中に基板１の搬送方向の先頭位置を検知し、その信号によりマスク材のノズル４４ａ、４４ｂを下降し、塗布開始位置にて切換バルブ４２ａ、４２ｂを開放する。液状のマスク材の貯留タンク４１ａ、４１ｂには切換バルブ４８を介して、一方は所望圧力の気体圧力源４７に接続され、他方は大気に開放されている。通常は貯留タンク４１ａ、４１ｂを気体圧力源４７により加圧しており、切換バルブ４２ａ、４２ｂを開放することによりマスク材をノズル先端から吐出する。ノズル本体４５の先端にはブラシ４６が設けられており、ブラシ４６は基板表面に接触しており、所望の位置にマスク材を塗布できる。本実施例ではノズル先端をブラシにしているが、スポンジやスリットにしてもよい。また、ブラシやスポンジの場合は吐出終了後、キャップ（図示略）を自動的に嵌め、マスク材が乾燥することを防止することで次の塗布を確実にすることができる。
【００３３】
本実施例では基板１をコロ搬送にて移動するようにしたが、基板１を停止し、マスク材塗布ノズルや剥離用スクレーパー、吸引ノズルを移動してもよい。
【００３４】
また、使用するマスク材には水溶性高分子または有機溶剤可溶性樹脂を使用する。水溶性高分子とは水に可溶な高分子をいうが、例えば酸化でんぷん、エーテル化でんぷん、デキストリンなどのでんぷん類、エチルセルロース、カルボキシルメチルセルロース、ヒドロキシルエチルセルロースなどのセルロース誘導体、カゼイン、ゼラチン、ポリビニルアルコールおよびその誘導体、ポリビニルピロリドン、ポリアクリル酸、ポリメタクリル酸またはそのエステル、塩類およびそれらの共重合体、ポリヒドロキシエチルメタクリレートおよびその共重合体などのビニル系重合体などが挙げられる。また、有機溶剤可溶性樹脂としては各種の樹脂が使用し得る。例えば、ポリエステル、ポリアミド、ポリエステルアミド、ポリビニルアセタール、ポリ塩化ビニル、ポリ（メタ）アクリル酸エステル、ポリイミド、ポリウレタン、ポリカーボネート、ポリスチレン、ポリオレフィン、アルキッド樹脂などやこれらの共重合体ブレンド物などを使用できる。
【００３５】
図７に、本発明に係る方法により、基板１上に予めマスク材を塗布、形成した後に、ペーストを塗布した状態を、図８に、マスク材を剥離、除去した状態を、図９に、剥離、除去されたマスク材部分を、それぞれ示す。
【実施例】
【００３６】
次に、本発明の上記のような実施の形態に従って、プラズマディスプレイ背面板にペーストを塗布した場合の実施例を示す。
【００３７】
実施例１
基板は、サイズ９９０×６００ｍｍ、アライメント間隔９７０×５８０ｍｍ、基板面には高さ１００μｍで頂部の幅７０μｍのリブが、ピッチ２５０μｍ（溝幅１８０μｍ）で３８４１本形成されたものを用いた。
【００３８】
マスク材は水溶性高分子であるポリビニールアルコール（ＰＶＡ：クラレ社製ＰＶＡ２０５）を使用し、水：ＰＶＡを７０：３０の重量割合でぬるま湯にて溶解した。その時の粘度は約１０００ＣＰａ・Ｓであり、この液状のマスク材を図５に示す装置を用い、圧力約２００ｋｐａで吐出、塗布した。その後、乾燥機を通し、ドライ膜厚約５０μｍのシート状のマスクを形成した。その後、移載機により、図１に示す塗布装置に基板を移載し、赤色（Ｒ）の蛍光体を含むペーストを塗布した。使用したノズルは、吐出孔が径１００μｍ、ピッチ７５０μｍで１２８０個設けられたものを用いた。カメラ１６，１８を用いアライメントマークＡ１，Ａ２を検出し、画像処理にて座標、基板の傾きを演算し、基板の傾きをθ軸で補正した。次にカメラ１７により代表のリブ間溝中心位置を画像処理により求め、ノズルの代表孔と一致させた後、基板をＸ軸方向に移動し、予め設定しているマスク材上の位置で吐出を開始し、終了端のマスク材上で吐出を停止し、基板走行も一旦停止した。その後、基板搬出位置まで移動後、移載機により次工程のコロ搬送装置に移載した。次のマスク材剥離工程では、図３に示した剥離装置において真空吸引装置として工業用真空掃除機を用いた。図示しないセンサーにより搬送される基板の先端位置を検出した時点でスクレーパーを下降し、基板と接触しながら基板を送り、マスク材をスクレーパーにより掻き上げながら吸引ノズルに吸引させた。この際吸引力が強すぎるとマスク材が切れるので、最適な吸引力にすることが重要である。以上の工程の後、蛍光体ペーストの乾燥工程を経て、赤色蛍光体の形成を終了した。基板の塗布開始、終了端を確認したところきれいに揃っており、本来蛍光体が形成されるべき表示領域での蛍光体層の厚みムラもなく高品位の蛍光体層を形成できた。また、、マスク材の剥離残りもなく良好な結果が得られた。
【００３９】
なお、本実施例では赤色蛍光体のみでマスク材を剥離したが、赤色（Ｒ）、緑色（Ｇ）、青色（Ｂ）の蛍光体ペーストを塗布後マスク材を剥離してもよい。また、本実施例では蛍光体ペーストの乾燥前にマスク材を剥離したが、蛍光体ペーストを乾燥後に剥離しても同様の効果が得られる。
【００４０】
実施例２
実施例１の基板を用い、蛍光体ペーストと同じバインダーポリマー（エチルセルロース）を溶媒（テルピネオール）に溶解し、液状マスク材を作成した。このマスク材を図５に示す装置に用い、基板にマスク材を塗布し、乾燥しないまま、図１に示す塗布装置にて赤色（Ｒ）蛍光体ペーストを塗布した。次工程の蛍光体ペースト乾燥工程により赤色（Ｒ）ペーストの乾燥とあわせてマスク材も乾燥・固化できた。引き続き、緑色（Ｇ）、青色（Ｂ）の蛍光体ペーストを塗布乾燥し、最終工程として図３に示す剥離装置を用いマスク材剥離・除去を行った。
【００４１】
この方法においてもマスク材はきれいに剥がれ、基板の蛍光体層の厚みムラもなく、塗布開始、終了端もきれいに揃えることができた。
【図面の簡単な説明】
【００４２】
【図１】本発明の一実施態様に係る塗液の塗布方法を実施するための塗液の塗布装置の斜視図である。
【図２】図１の基板の拡大平面図である。
【図３】マスク材剥離工程を示す基板搬送装置の斜視図である。
【図４】図３のスクレーパーと吸引ノズルの拡大斜視図である。
【図５】マスク材を予め形成する工程を示す基板搬送装置の斜視図である。
【図６】図５のマスク材のノズルの拡大斜視図である。
【図７】本発明に係る方法によりマスク材を塗布、形成した後にペーストを塗布した状態の基板の平面図である。
【図８】図７の基板からマスク材を剥離、除去した状態を示す平面図である。
【図９】図７の基板から剥離、除去されたマスク材部分を示す平面図である。
【符号の説明】
【００４３】
１  基板
２  テーブル
３  Ｙ軸テーブル
３ａ，３ｂ  リニアガイド
４  Ｘ軸テーブル
４ａ，４ｂ  リニアガイド
５  機台
６  支持台
６ａ，６ｂ  リニアガイド
７ａ，７ｂ  Ｚ軸ガイド
８  塗布ヘッド
９  開閉バルブ
１０  切換バルブ
１１  ペーストタンク
１２  気体圧力源
１３  Ｙ１軸ガイド
１４  Ｙ２軸ガイド
１５  Ｙ３軸ガイド
１６，１７，１８  ＣＣＤカメラ
２０ａ、２０ｂ  マスク材
２１  リブパターン領域
３０  剥離装置機台
３１  基板搬送装置
３２  基板搬送用のコロ
３３  サイドコロ
３４ａ、３４ｂ  取り付け台
３５、３５ａ，３５ｂ  吸引ノズル
３６、３６ａ，３６ｂ  スクレーパー
３７ａ、３７ｂ  真空吸引装置
３８ａ，３８ｂ  リニアガイド
４０  マスク形成装置機台
４１ａ、４１ｂ  貯留タンク
４２ａ、４２ｂ  切換バルブ
４３ａ、４３ｂ  取り付け台
４４、４４ａ、４４ｂ  マスク材塗布ノズル
４５  ノズル本体
４６  ブラシ
４７  気体圧力源
４８  切換バルブ
Ａ１、Ａ２、Ａ３、Ａ４  アライメントマーク
【図１】
2006231287.tif 000003
【図２】
2006231287.tif 000004
【図３】
2006231287.tif 000005
【図４】
2006231287.tif 000006
【図５】
2006231287.tif 000007
【図６】
2006231287.tif 000008
【図７】
2006231287.tif 000009
【図８】
2006231287.tif 000010
【図９】
2006231287.tif 000011